(57)【要約】【課題】  この発明は、テレビジョン放送の電子番組情報を映像情報とともに表示器に表示するための画面データを出力する電子番組情報出力装置であって、表示画面に電子番組表と視聴中のテレビ伴組の映像とを、容易で効率的に配置することができる電子番組情報出力装置を提供することを目的とする。【解決手段】  電子番組情報管理部９のデータベースから取り出した放送番組の番組名称の情報と放送時間帯の情報に基づいて、電子番組表作成部１０が電子番組表を作成し、画面データ作成部１１ａが、視聴中の映像と電子番組表を表示したバナーとを配置した画面データを作成するようにした。【選択図】  図１
2008160525.tif 000002
【特許請求の範囲】
【請求項１】
テレビジョン放送信号から複数のチャンネルの放送予定番組の電子番組情報を取得する電子番組情報取得手段と、
前記放送予定番組の電子番組情報に含まれる放送番組の番組名称の情報及び放送時間帯の情報に基づいて、電子番組表を作成する電子番組表作成手段と、
現時刻に入力される映像情報に基づく映像と前記電子番組表とが、表示画面内に配置される画面データを出力する画面データ出力手段と、
を備える電子番組情報出力装置であって、
前記画面データ出力手段は、前記電子番組表が前記表示画面の上端又は下端に配置される横長帯状のバナー内に表示されること、又は／及び、前記電子番組表が前記表示画面の右端又は左端に配置される縦長帯状のバナー内に表示される画面データを出力すること
を特徴とする電子番組情報出力装置。
【請求項２】
映像情報は、現時刻に受信しているチャンネルの現時刻に放送されている放送番組である視聴番組から得られるものであって、
電子番組表作成手段は、現時刻に放送されている複数のチャンネルの放送番組の番組名称の情報及び放送時間帯の情報のうちで、前記視聴番組の番組名称の情報及び放送時間帯の情報と前記現時刻に受信しているチャンネルとは異なるチャンネルの放送番組である裏番組の番組名称の情報及び放送時間帯の情報とに基づいて、電子番組表を作成すること
を特徴とする請求項１に記載の電子番組情報出力装置。
【請求項３】
電子番組表をスクロールすることを指示するスクロール指示手段をさらに備え、
電子番組表作成手段は、前記スクロール指示手段からの指示に基づいて、放送番組の放送順にスクロールすることにより裏番組の次番組を選択して電子番組表を作成すること
を特徴とする請求項２に記載の電子番組情報出力装置。
【請求項４】
電子番組表をスクロールすることを指示するスクロール指示手段をさらに備え、
電子番組表作成手段は、前記スクロール指示手段からの指示に基づいて、チャンネル順にスクロールすることにより裏番組のチャンネルを選択して電子番組表を作成すること
を特徴とする請求項２に記載の電子番組情報出力装置。
【請求項５】
映像情報は、現時刻に受信しているチャンネルの現時刻に放送されている放送番組である視聴番組から得られるものであって、
電子番組表作成手段は、現時刻に受信しているチャンネルの放送番組の番組名称の情報及び放送時間帯の情報のうちで、現時刻に放送されている放送番組である視聴番組の番組名称の情報及び放送時間帯の情報と前記視聴番組の以降に放送される放送番組である次番組の番組名称の情報及び放送時間帯の情報とに基づいて、電子番組表を作成すること
を特徴とする請求項１に記載の電子番組情報出力装置。
【請求項６】
電子番組表をスクロールすることを指示するスクロール指示手段をさらに備え、
電子番組表作成手段は、前記スクロール指示手段からの指示に基づいて、チャンネル順にスクロールすることにより変更されたチャンネルの現時刻に受信している視聴番組の以降に放送される放送番組である次番組を選択して電子番組表を作成すること
を特徴とする請求項５に記載の電子番組情報出力装置。
【請求項７】
電子番組表をスクロールすることを指示するスクロール指示手段をさらに備え、
電子番組表作成手段は、前記スクロール指示手段からの指示に基づいて、放送番組の放送順にスクロールすることにより現時刻に受信している視聴番組の以降に放送される放送番組である次番組を選択して電子番組表を作成すること
を特徴とする請求項５に記載の電子番組情報出力装置。
【請求項８】
横長帯状のバナー又は／及び縦長帯状のバナーは、一方に各チャンネル毎に１つの放送番組を選択し、該放送番組の番組名称の情報及び放送時間帯の情報を表示するものであり、他方に１つのチャンネルの放送予定番組の番組名称の情報及び放送時間帯の情報を表示することを特徴とする請求項１乃至７のいずれか１項に記載の電子番組情報出力装置。
【請求項９】
画面を表示する表示器のサイズ情報に基づいて前記表示器の表示画面上でのバナーの表示サイズを算定する表示サイズ算定部をさらに備え、
画面データ出力手段は、前記バナーの表示サイズに基づいて画面データを出力すること
を特徴とする請求項１乃至８のいずれか１項に記載の電子番組情報出力装置。
【請求項１０】
テレビジョン放送信号から複数のチャンネルの放送予定番組の電子番組情報を取得する電子番組情報取得工程と、
前記放送予定番組の電子番組情報に含まれる放送番組の番組名称の情報及び放送時間帯の情報に基づいて、電子番組表を作成する電子番組表作成工程と、
現時刻に入力される映像情報に基づく映像と前記電子番組表とが、表示画面内に配置される画面データを出力する画面データ出力工程と、
を備える電子番組情報出力方法であって、
前記画面データ出力工程において、前記電子番組表が前記表示画面の上端又は下端に配置される横長帯状のバナー内に表示されること、又は／及び、前記電子番組表が前記表示画面の右端又は左端に配置される縦長帯状のバナー内に表示される画面データを出力すること
を特徴とする電子番組情報表示方法。
【発明の詳細な説明】
【技術分野】
【０００１】
この発明は、テレビジョン放送の電子番組情報を映像情報とともに表示パネル等に表示するための画面データを出力する電子番組情報出力装置及び電子番組情報出力方法に関する。
【背景技術】
【０００２】
放送局から送信されるテレビジョン放送信号は、映像情報とともに、テレビ番組の放送予定に関する情報を含んでいる。この情報は、電子番組情報（ＥＰＧ：Ｅｌｅｃｔｒｏｎｉｃ  Ｐｒｏｇｒａｍ  Ｇｕｉｄｅ）と呼ばれ、テレビ番組の放送チャンネル、番組名称、放送時刻、ジャンル、番組内容の解説等の情報から成っている。
【０００３】
電子番組情報出力装置は、電子番組情報に基づいた画像データを出力する。この画像データは、例えば表示パネルに入力されて、電子番組表として表示される。テレビ番組の視聴者は、この電子番組表を見ることで、放送予定の番組の情報を知ることができる。
【０００４】
ところで、従来の電子番組情報出力装置は、最初は表示画面全体に必要最小限の電子番組情報を表示し、視聴者の選択によってテレビ番組を絞り込んだ上で、順次詳細な電子番組情報を表示するようにしている（例えば、特許文献１参照）。
【０００５】
また、別の従来の電子番組情報出力装置は、表示画面を左右に２分割して表示することができるようになっている。従って、視聴者がテレビ番組を視聴している際は、そのテレビ番組の映像は表示画面全体に表示される。次に、視聴者が電子番組情報を表示するために番組ガイド表示釦が押すと、表示画面が左右に２分割される。例えば、表示画面の左側の分割エリア内に視聴しているテレビ番組の映像が表示され、表示画面の右側の分割エリアに電子番組表が表示されることとなる。このように、視聴者は、視聴中のテレビ番組の視聴を妨げられること無しに、電子番組表を見ることができる（例えば、特許文献２参照）。
【０００６】
【特許文献１】特開２００５−１０１８５９号公報（第７頁、第２図）
【特許文献２】特開平１０−２７１４０５号公報（第３〜４頁、第２〜３図）
【発明の開示】
【発明が解決しようとする課題】
【０００７】
ところが、上記のような従来の電子番組情報出力装置では、電子番組情報が表示画面全体に表示されるので、視聴中のテレビ番組の視聴が妨げられることとなってしまうという問題がある。
【０００８】
また、上記のような別の従来の電子番組情報出力装置では、視聴中のテレビ番組の視聴が妨げられることは無いが、視聴者が電子番組情報を表示するために番組ガイド表示釦が押すと、表示画面全面に表示されていた視聴中のテレビ番組の映像が、左右に２分割された片方の分割エリア内に表示されることとなるので、映像サイズが急激に変化し、視聴中のテレビ番組が例えばサッカーの場合には、ゴールシュートのような視聴者が見たい場面を見損なってしまう恐れがある。
【０００９】
また、表示画面全体に表示された映像を、左右に２分割された片方の分割エリアに表示するためには、その映像を縮小する必要がある。その場合、映像の縦横比を変えない限り、実際に分割エリア内に映像を表示できる領域は制限される。従って、表示画面に映像を配置する効率が低く、表示画面を有効に利用できないとともに、表示される映像が著しく小さくなるので、映像の視認性が低下するという問題があった。
【００１０】
この発明は、上記のような課題を解決するために為されたもので、表示画面に電子番組表と視聴中のテレビ番組の映像とを、容易で効率的に配置することができる電子番組情報出力装置を提供することを目的とする。
【課題を解決するための手段】
【００１１】
この発明に係る電子番組情報出力装置は、テレビジョン放送信号から複数のチャンネルの放送予定番組の電子番組情報を取得する電子番組情報取得手段と、前記放送予定番組の電子番組情報に含まれる放送番組の番組名称の情報及び放送時間帯の情報に基づいて、電子番組表を作成する電子番組表作成手段と、現時刻に入力される映像情報に基づく映像と前記電子番組表とが、表示画面内に配置される画面データを出力する画面データ出力手段とを備える電子番組情報出力装置であって、前記画面データ出力手段は、前記電子番組表が前記表示画面の上端又は下端に配置される横長帯状のバナー内に表示されること、又は／及び、前記電子番組表が前記表示画面の右端又は左端に配置される縦長帯状のバナー内に表示される画面データを出力することを特徴とするものである。
【発明の効果】
【００１２】
この発明によれば、電子番組表をバナー内に表示するようにしたので、視聴者はテレビ番組の視聴を妨げられること無しに電子番組表を見ることができ、かつ、そのテレビ番組の映像の視認性が低下することが無く、電子番組表とテレビ番組の映像が表示画面に効率的に配置できるという効果がある。
【発明を実施するための最良の形態】
【００１３】
以下、この発明の実施の形態による電子番組情報出力装置が組み込まれたテレビジョン放送受信装置であって、例えば液晶ディスプレイのような表示パネル等に接続することでテレビ番組の映像と電子番組表とを見ることが可能なテレビジョン放送受信装置を例に説明する。さらに、テレビジョン放送は地上放送や衛星放送であって、デジタル放送である場合を例に説明する。
【００１４】
実施の形態１．
図１は、この発明に係る電子番組情報出力装置の実施の形態１を組み込んだテレビジョン放送受信装置の全体構成を示す全体構成図である。
【００１５】
図１において、アンテナ１で受信されたデジタル放送のテレビジョン放送信号は、テレビジョン放送受信装置２ａに入力される。テレビジョン放送受信装置２ａは、例えば液晶パネルやブラウン管モニタといった画面を表示する表示器３ａに接続されている。また、テレビジョン放送受信装置２ａは、視聴者がリモコン４を操作することにより、リモコン４からの操作命令を受け付けるようになっている。
【００１６】
次に、テレビジョン放送受信装置２ａの内部構成について説明する。アンテナ１で受信されたデジタル放送のテレビジョン放送信号は、テレビジョン放送受信装置２ａ内のチューナ５に入力される。チューナ５では、テレビジョン放送信号に含まれる複数のチャンネルの映像信号の中から視聴者が選局したチャンネルのテレビ番組の映像信号のみが抽出され、デコーダ６に入力される。
【００１７】
また、テレビジョン放送信号には、テレビ番組の映像信号といっしょに、電子番組情報を伝送するＥＰＧ信号が含まれている。チューナ５は、視聴者が選局したテレビ番組のチャンネルを選局していない時間帯に、適宜、受信可能なチャンネルをスキャンして、各放送局からのテレビジョン放送信号を入力する。さらに、チューナ５は、そのテレビジョン放送信号に含まれる各チャンネルのＥＰＧ信号を取り出して、電子番組情報抽出部７にそのＥＰＧ信号を出力する。
【００１８】
ところで、デコーダ６は、チューナ５から送られてきた映像信号をデコードし、視聴者が選局したチャンネルのテレビ番組の映像情報を出力する。表示映像作成部８は、この映像情報を入力し、表示器３ａの表示画面に表示するために、この映像情報のデータに適切な映像の表示サイズや表示位置を指示する映像表示データを付加する。
【００１９】
一方、電子番組情報抽出部７は、チューナ５から送られてきた各チャンネルのＥＰＧ信号から電子番組情報を抽出する。電子番組情報抽出部７で抽出された電子番組情報は、電子番組情報管理部９で、データベースの形態で管理される。
【００２０】
電子番組表作成部１０は、電子番組情報管理部９で管理されたデータベースから、電子番組表を作成するために必要な電子番組情報を取り出して、表示器３ａの表示画面に表示するための電子番組表を作成するとともに、表示器３ａの表示画面に表示するために、この電子番組表のデータに適切な電子番組表の表示サイズや表示位置を指示する電子番組表表示データを付加する。
【００２１】
画面データ作成部１１ａは、表示映像作成部８から出力されて映像表示データが付加された映像情報のデータと、電子番組表作成部１０から出力されて電子番組表表示データが付加された電子番組表のデータとを入力する。次に、画面データ作成部１１ａは、映像表示データ及び電子番組表表示データに基づいて、映像情報のデータに基づく映像と電子番組表のデータに基づく電子番組表とを配置した表示画面を構成する画面データを作成する。
【００２２】
この画面データは、表示器３ａに入力され、表示器３ａの表示画面には、視聴者が選局したテレビ番組の映像と電子番組表とが表示される。
【００２３】
なお、既に述べたように、テレビジョン放送受信装置２ａは、視聴者がリモコン４を操作することにより、リモコン４からの操作命令を受け付けるようになっている。リモコン４から入力された操作命令は、テレビジョン放送受信装置２ａ内に設けられたリモコン受光部１２でリモコン信号として受信される。マイコン１３は、このリモコン信号を入力して、リモコン信号が対応する操作命令に基づいて、表示映像作成部８及び電子番組表作成部１０にそれぞれの制御信号を出力する。
【００２４】
マイコン１３からの制御信号を受信した表示映像作成部８は、この制御信号に基づいて、映像の表示サイズや表示位置を指示する映像表示データを作成する。また、マイコン１３からの制御信号を受信した電子番組表作成部１０は、この制御信号に基づいて、電子番組表の表示サイズや表示位置を指示する電子番組表表示データを作成する。
【００２５】
図２は、この発明に係る電子番組情報出力装置の実施の形態１において、表示器３ａの表示画面に表示された画面構成の一例を説明するための画面構成図である。
【００２６】
図２において、表示器３ａの表示画面の中で、視聴者が選局することによりテレビジョン放送受信装置２ａが受信しているチャンネルのテレビ番組の映像は、視聴映像表示領域２０に表示される。この視聴映像表示領域２０に表示される映像は、表示映像作成部８から出力されて、映像表示データが付加された映像情報のデータに基づいて、作成されたものである。
【００２７】
また、表示画面内において、視聴映像表示領域２０よりも上側であって、表示画面の上端には、横長帯状のバナーである横バナー２１が配置されている。さらに、視聴映像表示領域２０の右側であって、表示画面の右端には、縦長帯状のバナーである縦バナー２２が配置されている。これらのバナー内に表示される電子番組表は、電子番組表作成部１０から出力されて、電子番組表表示データが付加された電子番組表のデータに基づいて、作成されたものである。
【００２８】
図２においては、横バナー２１は、テレビジョン放送受信装置２ａが現時刻に放送されて受信しているチャンネルのテレビ番組である視聴番組の番組名称及び放送時間帯が表示されている視聴番組領域２３と、現時刻に受信しているチャンネルとは異なるチャンネルの放送番組である裏番組の番組名称及び放送時間帯が表示されている裏番組領域２１１〜２１５とから構成されている。この裏番組領域２１１〜２１５には、各々の領域に各チャンネルの裏番組が１つずつ表示されている。
【００２９】
また、縦バナー２２は、上記で説明した視聴番組領域２３と、現時刻に放送されて受信している視聴番組の以降に放送される放送番組である次番組の番組名称及び放送時間帯が表示されている次番組領域２２１〜２２５とから構成されている。この次番組領域２２１〜２２５には、各々の領域に次番組が１つずつ表示されている。
【００３０】
視聴者が、図２に示すように、第６チャンネルを選局して、現時刻に第６チャンネルで放送されているテレビ番組を視聴している際は、このテレビ番組の映像は、図１に示す表示器３ａの表示画面全体に表示されている。視聴者がリモコン４を操作して、電子番組表を表示するための操作命令を出すと、リモコン受光部１２はこの操作命令をリモコン信号として受信する。マイコン１３は、リモコン受光部１２から送られてくるリモコン信号を受信して、表示映像作成部８と電子番組表作成部１０との各々に電子番組表を表示するためのそれぞれの制御信号を出力する。
【００３１】
マイコン１３からの制御信号を受信した表示映像作成部８は、この制御信号に基づいて、映像の表示サイズや表示位置を指示する映像表示データを作成する。次に、表示映像作成部８は、現時刻に受信しているチャンネルのテレビ番組である視聴番組の映像情報のデータにこの映像表示データを付加して、画面データ作成部１１ａに出力する。
【００３２】
一方、マイコン１３からの制御信号を受信した電子番組表作成部１０は、電子番組情報管理部９で管理されたデータベースから、現時刻に受信しているチャンネルとは異なる複数のチャンネルである、例えば、図２に示すように、第１〜５チャンネルの裏番組の番組名称及び放送時間帯の情報を取り出す。なお、放送時間帯は、データベースに管理されているテレビ番組の放送開始時刻と放送終了時刻ないしは放送時間長から算定する。さらに、電子番組表作成部１０は、このデータベースから、現時刻に放送されて受信している視聴番組の以降に放送される次番組である、例えば、図２に示すように、次番組１〜５の番組名称及び放送時間帯の情報を取り出す。
【００３３】
次に、電子番組表作成部１０は、図２に示す横バナー２１の領域に裏番組情報を表示するために、第１〜５チャンネルの裏番組の番組名称及び放送時間帯の情報を配置した横バナー用電子番組表を作成する。次に、マイコン１３からの制御信号に基づいて、その横バナー用電子番組表の表示サイズや表示位置の電子番組表表示データを横バナー用電子番組表のデータに付加して、画面データ作成部１１ａに出力する。
【００３４】
さらに、電子番組表作成部１０は、図２に示す縦バナー２２の領域に次番組情報を表示するために、次番組１〜５の番組名称及び放送時間帯の情報を配置した縦バナー用電子番組表を作成する。次に、マイコン１３からの制御信号に基づいて、その縦バナー用電子番組表の表示サイズや表示位置の電子番組表表示データを縦バナー用電子番組表のデータに付加して、画面データ作成部１１ａに出力する。
【００３５】
画面データ作成部１１ａは、表示映像作成部８から出力されて映像表示データが付加された映像情報のデータと、電子番組表作成部１０から出力されて電子番組表表示データがそれぞれ付加された横バナー用電子番組表のデータ及び縦バナー表電子番組表のデータとに基づいて、図２に示す視聴映像表示領域２０に現時刻に受信している視聴番組の映像を、図２に示す横バナー２１内に裏番組の電子番組表を、図２に示す縦バナー２２内に次番組の電子番組表を、それぞれ表示するための画像データを作成する。
【００３６】
表示器３ａは、画像データ作成部１１ａで作成された画像データを入力し、表示器３ａの表示画面に、図２に示す画面構成を有する視聴番組の映像と電子番組表を表示する。
【００３７】
なお、以上では、視聴番組のチャンネルは第６チャンネルであり、横バナー２１内に表示されている裏番組のチャンネルは第１〜５チャンネルの場合を例に説明したが、チャンネル番号がこれらの番号に限られるわけでは無いのは言うまでも無い。例えば、視聴者がチャンネルを第４チャネルに変えた場合は、視聴番組領域２３には現時刻に放送されている第４チャンネルのテレビ番組の情報が表示され、裏番組領域２１１〜２１５には、例えば、第１〜３チャンネル及び第５〜６チャンネルの裏番組の情報というように、視聴番組のチャンネルとは異なるチャンネルの情報が表示されることとなる。
【００３８】
この発明に係る電子番組情報出力装置の実施の形態１は、以上のように構成されているので、視聴者は、現在視聴しているテレビ番組の視聴を妨げられること無しに電子番組表を見ることができる。横バナー２１に表示された電子番組表を見ると、現時刻に裏番組でどのような番組名称の番組が何時から何時まで放送されているのかを知ることができる。従って、視聴者は、視聴している番組よりももっと興味深い裏番組があるかどうかを確認でき、視聴者が見たい番組を見逃すことを減らすことができるという効果がある。
【００３９】
さらに、視聴者が視聴中の番組が何時から何時まで放送されているかを見ながら、裏番組でどのような番組名称の番組が何時から何時まで放送されているのかを知ることができるので、例えば、視聴番組が終了した後に視聴番組の次に興味のある裏番組にチャンネルを切り替えるという使い方ができ、視聴者が見たい番組を見逃すことをさらに減らすことができるという効果がある。
【００４０】
また、視聴者は、縦バナー２２に表示された電子番組表を見ると、視聴している番組が終わった以降に同じチャンネルでどのような番組名称の番組が何時から何時まで放送されるかを知ることができる。従って、視聴者は、視聴しているチャンネルでさらに興味深い次番組があるかどうかを確認でき、もし興味深い次番組があるのであれば、チャンネルを変えないことにより見たい番組を見逃すことを減らすことができるという効果がある。
【００４１】
さらに、電子番組表が表示される横バナー２１及び縦バナー２２は、表示器３ａの表示画面の上端、下端、右端、ないしは、左端というように、表示画面の端部に配置されるので、電子番組表を視聴中の映像といっしょに表示するために視聴中の表示画面全体に表示された映像を縮小したとしても、大幅な縮小を施す必要が無い。従って、視聴中の映像が急激にかつ大幅に縮小されることが無いので、表示される映像の視認性がほとんど低下しないという効果がある。
【００４２】
例えば、視聴中のテレビ番組がサッカーの場合には、ゴールシュートのような視聴者が見たい場面を見損なってしまう恐れが無い。
【００４３】
特に、横バナー２１と縦バナー２２の両方を表示画面に表示することにより、表示器３ａの表示画面の縦横比と視聴映像表示領域２０の縦横比を略同じに保つことが可能である。従って、縮小前の映像の縦横比を保ったままで映像を縮小しても、表示画面の領域の内で無駄になる領域が生じることを抑制できる。これにより、視聴番組の映像と電子番組表とを表示画面に効率的に配置することができるという効果がある。
【００４４】
なお、以上では、横バナー２１には裏番組の電子番組表を表示し、縦バナー２２に次番組の電子番組表を表示するようにしたが、横バナー２１に次番組の電子番組表を、縦バナー２２に裏番組の電子番組表を表示するようにしても、同様の効果が得られることは言うまでも無い。
【００４５】
さらに、以上では、表示器３ａの表示画面に横バナー２１と縦バナー２２の両方を配置する場合について説明したが、横バナー２１ないしは縦バナー２２のいずれか一方のみを視聴番組の映像の上に重畳させるようにしてもよい。
【００４６】
特に、視聴番組の映像を縮小して視聴映像表示領域に表示するのでは無く、視聴番組の映像を表示画面全体に表示させ、バナーによって映像が隠れる領域を片方のバナーの領域のみに限るようにする。その場合には、映像は縮小されずに表示される。従って、バナーで隠れる最小限の領域を除けば、電子番組表を表示させる前後において、映像がサイズ変化を伴わずに完全に連続した状態で表示されるので、視聴中の番組の映像のわずかな変化であっても見過ごすことが無いという利点がある。
【００４７】
例えば、視聴中のテレビ番組がゴルフの場合には、ゴルフボールは小さいため、映像の僅かなサイズ変化であってもゴルフボールを眼で追い続けることは容易では無い。しかし、映像を縮小せずにバナーを映像に重畳させるので、映像がサイズ変化を伴わずに完全に連続した状態で表示される。従って、ゴルフボールがバナーで隠れる映像の位置に転がらない限り、ホールインの瞬間を見損なう恐れが無い。
【００４８】
なお、テレビジョン放送信号から取得される電子番組情報は、テレビ番組の放送チャンネル、番組名称、放送時刻、ジャンル、番組内容の解説等、非常に膨大な情報量を有している。ところで、以上においては、バナー内に表示されるテレビ番組の情報は、テレビ番組の番組名称と放送時間帯との２つの場合について説明したが、この２つに限られる必要は無く、視聴者が必要とする最低限の情報を含むようにすれば良い。
【００４９】
なお、バナー内に表示される電子番組表を、テレビ番組に関する情報である番組名称と放送時間帯とに限って作成するようにすれば、電子番組表作成部１０が電子番組表を作成する負荷が小さくて済み、視聴者がリモコン４を操作して電子番組表を表示する操作命令を送信した際に、短時間で表示器３ａの表示画面に電子番組表を表示できるという効果がある。
【００５０】
実施の形態２．
実施の形態１の電子番組情報出力装置を組み込んだテレビジョン放送受信装置２ａにおいては、表示器３ａの表示画面に配置された横バナー２１内に表示された電子番組表に、視聴番組である現時刻に放送されている第６チャンネルの情報と裏番組である第１〜５チャンネルの情報と視聴中の第６チャネルで放送予定の視聴番組以降の次番組１〜５の情報とを表示する場合を例にして、図２を用いて説明した。
【００５１】
しかし、テレビジョン放送受信装置２ａが受信できるチャンネルは第１〜６チャンネルのみに限られるわけでは無いのは言うまでも無い。また、第６チャンネルの視聴番組以降の次番組が次番組１〜５のみに限られるわけでは無く、次番組５の以降にも続々とテレビ番組が放送される。
【００５２】
そこで、視聴者が図１に示すリモコン４を操作することで、電子番組表をスクロールするようにすれば、表示器３ａの表示画面に配置されたバナーの面積を増やすこと無しに、視聴者は、さらに多くのチャンネルの番組の情報やさらに多くの次番組の情報を見ることが可能となる。
【００５３】
図３は、この発明に係る電子番組情報出力装置の実施の形態２の場合の表示器３ａの表示画面に表示された画面構成の一例を説明するための画面構成図である。なお、図２と同一符号は同一又は相当部分を示すので説明を省略する。
【００５４】
以下では、初期表示状態として、表示器３ａの表示画面に図２に示す画面構成の電子番組表が表示されており、図３は、視聴者がリモコン４を操作することにより、電子番組表をスクロールした後の画面構成を示しているものとして説明する。
【００５５】
図３においては、視聴番組領域２３は図２と同様に現時刻に放送されている第６チャンネルの視聴番組の情報が表示されているが、視聴番組領域２３を除く横バナー３１内には、第２〜５チャンネルの各々の裏番組の後に放送予定のそれぞれの次番組１と第７チャンネルの裏番組の後に放送予定の次番組１との情報が表示されている。さらに、視聴番組領域２３を除く縦バナー３２内には、第６チャンネルの現時刻に放送されている視聴番組の次番組のさらに以降に放送される次番組２〜６の情報が表示されている。
【００５６】
図４は、電子番組表をスクロールするために、図１に示す電子番組情報管理部９で管理されている電子番組情報のデータベースから、スクロール前の電子番組表を作成するために必要な電子番組情報を取り出す方法を説明するための第１の説明図である。横軸はチャンネルの並びを表わしており、縦軸はテレビ放送の放送順を表わしている。
【００５７】
図４には、データベースにおいて管理されている電子番組情報を並べた情報テーブルが示されている。ここで、太枠領域４０内の電子番組情報は、図２の初期表示状態の横バナー２１と縦バナー２２内に表示された電子番組情報に対応している。なお、太枠領域４０の位置は横軸及び縦軸に対して固定しておき、電子番組表をスクロールする際には、この情報テーブルが横軸及び縦軸に対して移動されるものとする。
【００５８】
また、図５は、電子番組表をスクロールするために、図１に示す電子番組情報管理部９で管理されている電子番組情報のデータベースから、裏番組の次番組を見るためのスクロールを行った後の電子番組表を作成するために必要な電子番組情報を取り出す方法を説明するための第２の説明図である。なお、図４と同一符号は同一又は相当部分を示すので説明を省略する。
【００５９】
さらに、図６は、図５の表示状態に続けて、表示されていないチャンネルを見るためのスクロールを行った後の電子番組表を作成するために必要な電子番組情報を取り出す方法を説明するための第３の説明図である。なお、図４と同一符号は同一又は相当部分を示すので説明を省略する。
【００６０】
以下では、初期表示状態である図２とスクロール後の図３とスクロール後の電子番組表の作成を説明するための図４、図５、及び、図６を用いて、この発明に係る電子番組情報出力装置の実施形態２の動作のうち、スクロール後の電子番組表の作成に関する部分を説明する。
【００６１】
まず、図４において、例えば、テレビジョン放送受信装置２ａが受信可能なチャンネルが第１〜７チャンネルであって、電子番組情報として電子番組情報管理部９のデータベースに管理されている電子番組情報が、現時刻に放送されているテレビ番組の情報と次番組１〜６の情報であるとする。
【００６２】
その場合に、横軸をチャンネルの並びとし、縦軸をテレビ番組の放送順として、データベースにおいて管理されている電子番組情報を並べた図４に示す情報テーブルを作成しておく。
【００６３】
この初期表示状態において、裏番組の次番組の情報を見るために、視聴者がリモコン４を操作して、図４の縦軸のテレビ番組の放送順の向きとは逆向きに情報テーブルを移動させる。この際、既に述べたように、太枠領域４０の位置は横軸及び縦軸に対して固定しておく。その結果、図４に示す第１〜７チャンネルの次番組１が横並びとなった次番組１行４１のうちの、第１〜６チャンネルの次番組１の情報が、図５に示すように、太枠領域４０の中に入る。
【００６４】
電子番組表作成部１０は、図５に示す情報テーブルの太枠領域４０のうちで、図３に示す横バナー３１と縦バナー３２の重なる位置の視聴番組領域２３に対応する領域である領域５３の情報を、現時刻に放送されている視聴番組の情報に置き換えて、電子番組表を作成する。
【００６５】
さらに続けて、表示画面に表示されているチャンネルとは異なる裏番組のチャンネルの情報を見るために視聴者がリモコン４を操作して、図５の横軸のチャンネルの順の向きとは逆向きに情報テーブルを移動させる。この際、視聴番組のチャンネルである第６チャンネルの列は飛び越して移動されるものとする。その結果、図６に示すように、第７チャンネルの次番組１の情報が太枠領域４０の中に入る一方、第１チャンネルの次番組１の情報が太枠領域４０から外れる。
【００６６】
電子番組表作成部１０は、図６に示す情報テーブルの太枠領域４０のうちで、図３に示す横バナー３１と縦バナー３２の重なる位置の視聴番組領域２３に対応する領域である領域６３の情報を、現時刻に放送されている視聴番組の情報に置き換えて、電子番組表を作成する。
【００６７】
視聴者が、以上に説明した裏番組の次番組の情報を見るためのスクロールと表示されていないチャンネルの情報を見るためのスクロールをリモコン４を操作して行うことにより、表示器３ａの表示画面には、図３に示す画面構成の視聴番組の映像と電子番組表が表示される。すなわち、視聴映像表示領域２０には、視聴番組の映像が表示されるとともに、横バナー３１には、視聴番組の情報と第２〜５チャンネル及び第７チャンネルの次番組１の情報が表示される。また、縦バナー３２には、視聴番組領域２３が横バナー３１と重なるようにして、第６チャンネルの次番組２〜６の情報が表示される。
【００６８】
この発明に係る電子番組情報出力装置の実施の形態２は、以上のように電子番組表をスクロールするようにしているので、表示器３ａの表示画面に配置されたバナーの面積を増やすことが無く、その結果、視聴中の映像がさらに縮小されて視認性が低下すること無しに、さらに多くのチャンネルの番組の情報やさらに多くの次番組の情報を見ることができるという効果がある。
【００６９】
実施の形態３．
実施の形態１及び実施の形態２の電子番組情報出力装置においては、表示画面に横バナーと縦バナーとの両方を配置する場合について説明したが、視聴者がリモコン４を操作することにより、マイコン１３が表示画面のカーソルの位置を判断して、横バナーと縦バナーのいずれか一方のみを表示するようにしても良い。
【００７０】
図７は、この発明に係る電子番組情報出力装置の実施の形態３における視聴者によるリモコン操作前の画面構成の一例を説明するための画面構成図である。
【００７１】
また、図８は、この発明に係る電子番組情報出力装置の実施の形態３における視聴者によるリモコン操作後の画面構成の一例を説明するための画面構成図である。
【００７２】
図７において、横バナーには視聴番組の情報７１とともに裏番組１〜５の情報７２が表示されており、縦バナーには次番組１〜５の情報７３が表示されている。
【００７３】
ところで、視聴者が裏番組の情報に興味を持っている場合は、視聴者がリモコン４を操作して、表示画面のカーソルを横バナーの裏番組１〜５の情報が表示されている領域に移動させると、マイコン１３は電子番組表作成部１０に横バナーのみを表示画面に配置するための制御信号を送信する。
【００７４】
その結果、図８に示すように、視聴番組の情報８１と裏番組１〜５の情報８２とを表示する横バナーのみが、表示器３ａの表示画面に配置されることとなる。
【００７５】
以上のように、視聴者がリモコン４を操作してカーソルを移動させることにより、カーソルが位置する側のバナーのみを表示するようにしたので、視聴者は簡単な操作で容易に興味がある情報に絞って作成された電子番組表を見ることができる。
【００７６】
さらに、データベースから取り出す電子番組表の作成に必要な電子番組情報の量を最小限に限定することができるので、電子番組表作成部１０が電子番組表を作成する負荷が小さくて済み、短時間で表示画面に電子番組表を表示できるという効果がある。
【００７７】
実施の形態４．
バナー内に表示される電子番組表の文字サイズは、視聴者の視認性の点から決まる。そこで、実施の形態１から３の電子番組情報出力装置においては、視聴者が見難いと感じない大きさの文字サイズを予め設定しておき、この文字サイズを前提に、表示器の表示画面のバナーと視聴映像表示領域の配置を設定するようにしている。従って、接続される表示器を表示画面のサイズの異なる表示器に交換した場合には、バナーと視聴映像表示領域の配置の設定を、視聴者が変更する必要がある。
【００７８】
そこで、この発明に係る電子番組情報出力装置の実施の形態４においては、接続された表示器から、表示画面のサイズに関する情報を受け取り、その情報に基づいてバナーと視聴映像表示領域の配置を設定する。これにより、視聴者がバナーと視聴映像表示領域の配置の設定をする必要が無い。
【００７９】
図９は、この発明に係る電子番組情報出力装置の実施の形態４を組み込んだテレビジョン放送受信装置の全体構成を示す全体構成図である。なお、図１と同一符号は同一又は相当部分を示すので説明を省略する。
【００８０】
図９において、テレビジョン放送受信装置２ｂに接続する表示器を、例えば、以前に使用していたものよりも表示画面のサイズが大きい表示器３ｂに交換する。なお、表示器３ｂは、表示画面のサイズに関する情報を出力できるようになっている。
【００８１】
表示サイズ算定部１４は、表示器３ｂから出力された表示画面のサイズに関する情報を受け取り、バナー内に表示される電子番組表の文字サイズは変更しないようにして、バナーの表示可能なサイズに関する情報を作成する。
【００８２】
表示器３ｂの表示画面のサイズが以前よりも大きいならば、横バナーであれば横方向のサイズを、縦バナーであれば縦方向のサイズを大きくすることができる。従って、バナー内に表示される電子番組表の文字サイズは変更しないことから、横バナーであれば、表示するチャンネルの数を増やすことができ、縦バナーであれば、表示する次番組の番組数を増やすことが可能となる。
【００８３】
表示サイズ算定部１４で作成されたバナーの表示可能なサイズに関する情報は、マイコン１３に出力され、マイコン１３は、この情報に基づいて、表示映像作成部８と電子番組表作成部１０の各々にそれぞれの制御信号を出力する。
【００８４】
実施の形態４の電子番組情報出力装置は、以上のように構成されているので、この電子番組情報出力装置が組み込まれたテレビジョン放送受信装置に接続する表示器を、表示画面のサイズの異なる別の表示器に交換したとしても、バナーと視聴映像表示領域の配置の設定を視聴者が変更するという手間のかかる作業が不要となるという効果がある。
【００８５】
なお、上記に説明した実施の形態１から４では、デジタル放送の場合を例に説明したが、この発明は、デジタル放送に限られるものでは無く、アナログ放送であっても同様の効果が得られることは言うまでも無い。
【００８６】
さらに、上記に説明した実施の形態１から４では、表示画面の視聴映像表示領域に現時刻に受信しているチャンネルの現時刻に放送されている放送番組である視聴番組から得られる映像を表示する場合について説明したが、映像がＤＶＤ等の録画された映像であっても良い。その場合は、例えば、電子番組表作成部１０は、現時刻に受信しているチャンネルの代わりにデフォルトのチャンネルを予め設定しておき、デフォルトのチャンネルの現時刻に放送されている放送番組とその裏番組と次番組に関する情報に基づいて、電子番組表を作成するようにする。
【図面の簡単な説明】
【００８７】
【図１】この発明に係る電子番組情報出力装置の実施の形態１を組み込んだテレビジョン放送受信装置の全体構成を示す全体構成図である。
【図２】この発明に係る電子番組情報出力装置の実施の形態１における表示画面に表示された画面構成の一例を説明するための画面構成図である。
【図３】この発明に係る電子番組情報出力装置の実施の形態２の場合の表示画面に表示された画面構成の一例を説明するための画面構成図である。
【図４】データベースから、スクロール前の電子番組表を作成するために必要な電子番組情報を取り出す方法を説明するための第１の説明図である。
【図５】データベースから、裏番組の次番組をみるためのスクロールを行った後の電子番組表を作成するために必要な電子番組情報を取り出す方法を説明するための第２の説明図である。
【図６】データベースから、表示されていないチャンネルを見るためのスクロールを行った後の電子番組表を作成するために必要な電子番組情報を取り出す方法を説明するための第３の説明図である。
【図７】この発明に係る電子番組情報出力装置の実施の形態３におけるリモコン操作前の画面構成の一例を説明するための画面構成図である。
【図８】この発明に係る電子番組情報出力装置の実施の形態３におけるリモコン操作後の画面構成の一例を説明するための画面構成図である。
【図９】この発明に係る電子番組情報出力装置の実施の形態４を組み込んだテレビジョン放送受信装置の全体構成を示す全体構成図である。
【符号の説明】
【００８８】
３ａ  表示器
３ｂ  表示器
４  リモコン
７  電子番組情報抽出装置
８  表示映像作成部
９  電子番組情報管理部
１０  電子番組表作成部
１１ａ  画面データ作成部
１１ｂ  画面データ作成部
１３  マイコン
１４  表示サイズ算定部
【図１】
2008160525.tif 000003
【図２】
2008160525.tif 000004
【図３】
2008160525.tif 000005
【図４】
2008160525.tif 000006
【図５】
2008160525.tif 000007
【図６】
2008160525.tif 000008
【図７】
2008160525.tif 000009
【図８】
2008160525.tif 000010
【図９】
2008160525.tif 000011